(57)【要約】【課題】高所作業用安全ベルトなどに連結したランヤードを、非使用時に安全ベルトなどに掛け止めておくための、ランヤード掛具を提供する。【解決手段】短冊状の掛具本体と、該掛具本体の上端部に連結部を介して押さえ片と一体的に連結されると共に、掛具本体下方部から外側に膨出し、上方部が上記掛具本体に近づくように曲設された掛片から構成されたランヤード掛具において、上記掛具本体と押え片の下端部に、掛け留める手段を有する構造を一体的に取り付けられる。【選択図】図１
2009072531.tif 000002
【特許請求の範囲】
【請求項１】
短冊状の掛具本体と、該掛具本体の上端部に連結部を介して押さえ片と一体的に連結されると共に、掛具本体下方部から外側に膨出し、上方部が上記掛具本体に近づくように曲設された掛片から構成されたランヤード掛具において、上記掛具本体と押え片の下端部に、掛け留める手段を有する構造を一体的に取り付けられたことを特徴とするランヤード掛具。
【請求項２】
短冊状の掛具本体と、該掛具本体の上端部に連結部を介して押さえ片と一体的に連結されると共に、掛具本体下方部から外側に膨出し、上方部が上記掛具本体に近づくように曲設された掛片から構成され、上記掛具本体と上記押え片の下端部に、掛け留める手段を有する構造を一体的に取り付けられたランヤード掛具において、押え片が大きくストロークするばね構造としたことを特徴とするランヤード掛具。
【発明の詳細な説明】
【技術分野】
【０００１】
本発明は、例えば高所作業用安全ベルトなどに連結したランヤードを、非使用時に安全ベルトなどに掛け止めておくための、ランヤード掛具に関するものである。
【背景技術】
【０００２】
従来、この種のランヤード掛具としては、内部にベルトが一枚通る大きさに開口したスリット状孔を設け、側面下部にランヤードのフック及びロープ等を掛合するフック部を設けたものや、ベルトに取り付けるためのスリットと、バックルを通ったあとのベルト端部を納めるためのスリットを設けたものが存在した。さらには、ベルトに取り付けるためのスリットを途中で切断し、ベルトに後から取り付けられるようにし、上記ベルト挿通孔の一部を遮蔽するスペーサーを嵌脱自在に設けたものがある。（例えば、特許文献１参照）
【０００３】
しかし、上記従来のランヤード掛具は、以下のような問題点があった。
１）ベルトに取り付ける際、工具袋や保護ベルト等の現在取り付けているものを外し、挿入しなければならなかった。取り外す際も同様に手間が掛かっていた。
２）取り外す際、ベルトの端末処理としてされている先止金具を外してしまうことがあった。現在の一般的な高所作業現場では、少しでも不備のある安全帯は安全帯として認められないため、先止金具のなくなった安全帯も安全帯として認められず、作業者はそのたびに安全帯を購入しなければならなかった。
３）スリット状のベルト挿通孔が二段あり、ベルトを二段に通せるものもあったが、必ずしもベルトの末端を通す場所に取り付けるものではないので、ベルトの端末が通らないところに取り付けると、若干の違和感があった。
４）スリット状のベルト挿通孔が二段あり、ベルト取り付け部のスリット側中央を開いた形状で、ベルトに後付け出来るものも実用新案にあったが、ベルト部を一度屈曲させて装着する方法なので、取り付けに若干手間が掛かることが予想されていた。
【特許文献１】登録実用新案第３０９６６３９号公報
【発明の開示】
【発明が解決しようとする課題】
【０００４】
本発明が解決しようとする課題は、以下の通りである。
１）工具袋などを取り外すことなく、ベルト等への取り付け取り外しが迅速かつ確実にできるランヤード掛具を提供することにある。
２）ベルト端末を納める機能（ベルトが二重に通る）を持ちながら、ベルト一枚の時でも確実にベルトに固定され、薄型形状で取り付ける場所を選ばず、どの場所に取り付けても違和感がないランヤード掛具を提供することにある。
３）ランヤード（フック及びロープ等）に限定することなく、工具・治具・備品など、軽量なものであれば、他のものも掛けることができるランヤード掛具を提供することにある。
【課題を解決するための手段】
【０００５】
本発明のランヤード掛具は、短冊状の掛具本体と、該掛具本体の上端部に連結部を介して押さえ片と一体的に連結されると共に、掛具本体下方部から外側に膨出し、上方部が上記掛具本体に近づくように曲設された掛片から構成されたランヤード掛具において、上記掛具本体と押え片の下端部に、掛け留める手段を有する構造を一体的に取り付けられたことを特徴とする。また、短冊状の掛具本体と、該掛具本体の上端部に連結部を介して押さえ片と一体的に連結されると共に、掛具本体下方部から外側に膨出し、上方部が上記掛具本体に近づくように曲設された掛片から構成され、上記掛具本体と上記押え片の下端部に、掛け留める手段を有する構造を一体的に取り付けられたランヤード掛具において、押え片が大きくストロークするばね構造としたことを特徴とする。
【発明の効果】
【０００６】
本発明のランヤード掛具は、工具袋などを取り外すことなく、ベルト等への取り付け取り外しが迅速かつ確実にでき、ベルト端末を納める機能（ベルトが二重に通る）を持ちながら、ベルト一枚の時でも確実にベルトに固定され、薄型形状で取り付ける場所を選ばず、どの場所に取り付けても違和感がないだけでなく、ランヤード（フック及びロープ等）に限定することなく、工具・治具・備品など、軽量なものであれば、他のものも掛けることができる利点がある。
【発明を実施するための最良の形態】
【０００７】
図１は、本発明のランヤード掛具の１実施例を示す正面図であって、１は掛具本体、２は押え片、３は掛片である。
【０００８】
上記掛具本体１は、図２（ａ）および図２（ｂ）からも明らかなように、例えば、多少の弾性を有するポリアミドやポリアセタール、ポリエステル等の硬質プラスチックにより短冊状に形成されていて、ベルトの幅より稍大きな長さを有する。
【０００９】
上記押え片２の上端部は、上記掛具本体１の上端部に連結部２ａを介して一体的に連結されている。本実施例では、上記掛具本体１と押え片２は一体成形されていて、該連結部２ａはＵ字状の薄肉となっており、図示のように、該押え片２が弾性的に開くようになっている。上記連結部２ａは、ヒンジとしての機能さえあれば、いずれの構造であってもよい。
【００１０】
上記押え片２の下端部には、上記掛具本体１側に向けて、閉片２ｂが突設している。該閉片２ｂは、上記掛具本体１の下端部に開設された穴１ａに挿通し、閉片２ｂの先端に形成されている鈎部２ｂ′により掛け留められるようになっている。この掛け留め手段は、上記具体例に限定するものではなく、上記押え片２の下端部を上記掛具本体１の下端部に容易に掛け留め且つ掛け外しできる構造であれば、従来公知の掛け留め構造のいずれであってもよい。
【００１１】
上記押え片２は、その中間部が上記掛具本体１側に向けて弾性的に湾曲している。この湾曲した部分の内側面には、例えば、突起状、スパイク状などの滑り止め２ｃが形成または付設されている。２ｄは、50ｍｍベルト用と60ｍｍベルト用を使い分けるベルト押さえであり、図１は50ｍｍベルト用である。60ｍｍベルト使用時には、ベルト押さえを切断するか、射出成形時に入れ子を入れ替える等で対応するものである。
【００１２】
上記掛片３は、上記掛具本体１の下端部に一体的に取り付けられていて、下方部が外側に膨出し、上方部は掛具本体１側に近づくように曲設されており、ランヤード（フック及びロープ等）を掛けられるようになっている。
【００１３】
上記掛片３の上端部３ａは、外側に開くように傾斜、すなわち上記掛具本体１から離れる方向に傾斜していて、上記ランヤード（フック及びロープ等）を導入し易いようになっている。
【００１４】
１ｂは山型突起であって上記掛具本体１に突設されていて、上記掛片３の上端部の傾斜に合わせた傾斜を有し、上記掛片３に掛けられたランヤード（フック及びロープ等）が簡単に抜け出ないようにしている。
【００１５】
本実施例のランヤード掛具は、以上のように構成されているので、押え片２を開いた状態で、上記掛具本体１との間にベルト等の帯材を挿入して、図３に示すように、上記閉片２ｂを上記掛具本体１の穴１ａに差し込み、鈎部２ｂ′により掛け留めて、本ランヤード掛具を帯材Ｂにしっかりと装着する。
装着したランヤード掛具の掛片３には、非使用時のランヤード（フック及びロープ等）を掛け止めておく。
【図面の簡単な説明】
【００１６】
【図１】本発明のランヤード掛具の１実施例を示す正面図である。
【図２】図１のランヤード掛具の側面図（ａ）および下面図（ｂ）である。
【図３】図１のランヤード掛具の使用状態を示す説明図である。
【符号の説明】
【００１７】
１    掛具本体
１ａ  穴
１ｂ  山型突起
２    押え片
２ａ  連結部
２ｂ  閉片
２ｂ′鈎部
２ｃ  滑り止め
２ｄ  ストッパー
３    掛片
３ａ  上端部
【図１】
2009072531.tif 000003
【図２】
2009072531.tif 000004
【図３】
2009072531.tif 000005
【手続補正書】
【提出日】平成19年9月25日(2007.9.25)
【手続補正１】
【補正対象書類名】明細書
【補正対象項目名】００１７
【補正方法】変更
【補正の内容】
【００１７】
１    掛具本体
１ａ  穴
１ｂ  山型突起
２    押え片
２ａ  連結部
２ｂ  閉片
２ｂ′鈎部
２ｃ  滑り止め
２ｄ  ベルト押さえ
３    掛片
３ａ  上端部